(57)【要約】【課題】機器を使用する上での機能性や汎用性あるいは設置性などを効果的に高めることができる機器設置用枠を提供する。【解決手段】多面体の各辺を各頂点で連結した形態のフレーム構造を有する枠体１に、その多面体形状の内部に機器を取り付ける機器取付部３を設け、枠体１は、互いに同構造の枠体１どうしをそれらの多面体形状における各１面どうしが連結面として近接対向する隣接配置で連結手段により相互に連結固定する構成にしてある機器設置用枠であって、枠体１のフレーム構造は正多面体の各辺を各頂点で連結した形態のフレーム構造にし、枠体１は、その正多面体形状における３面以上の面の各々を連結手段により連結固定する同構造の枠体１に対する連結面として選択することが可能な構成にする。【選択図】図１
2015048880.tif 000002
【特許請求の範囲】
【請求項１】
多面体の各辺を各頂点で連結した形態のフレーム構造を有する枠体に、その多面体形状の内部に機器を取り付ける機器取付部を設け、
前記枠体は、互いに同構造の枠体どうしをそれらの多面体形状における各１面どうしが連結面として近接対向する隣接配置で連結手段により相互に連結固定する構成にしてある機器設置用枠であって、
前記枠体のフレーム構造は正多面体の各辺を各頂点で連結した形態のフレーム構造にし、
前記枠体は、その正多面体形状における３面以上の面の各々を前記連結手段により連結固定する同構造の枠体に対する前記連結面として選択することが可能な構成にしてある機器設置用枠。
【請求項２】
前記連結手段は、前記枠体の正多面体形状における頂点部に配置するとともに、この頂点部を共有頂点部とする前記正多面体形状における複数面のうちのいずれの１面を前記連結面として同構造の枠体を隣接配置した場合にも、それら枠体どうしの連結固定に兼用して使用できる構成にしてある請求項１記載の機器設置用枠。
【請求項３】
前記連結手段は、前記枠体の正多面体形状における頂点部に形成した個別凹部と、その個別凹部に嵌め込んだ状態でその個別凹部の内部で前記枠体に連結固定する嵌込連結具とで構成し、
前記個別凹部は、互いに同構造の前記枠体どうしをそれらの前記連結面が近接対向する隣接配置状態にしたときに、それら枠体の前記個別凹部どうしが結合してそれら枠体にわたる一連の連結用凹部を形成する構成にし、
前記嵌込連結具は、前記個別凹部どうしの結合により形成された前記連結用凹部に嵌め込んで枠体どうしにわたらせた状態で、その連結用凹部における各個別凹部の内部で各枠体に連結する構成にしてある請求項１又は２記載の機器設置用枠。
【請求項４】
前記連結手段を構成する前記個別凹部及び前記嵌込連結具は、前記連結用凹部に対する前記嵌込連結具の嵌め込みに伴い連結対象の前記枠体どうしを適正な隣接配置状態に位置決めする構成にしてある請求項３記載の機器設置用枠。
【請求項５】
前記機器取付部は、それにより前記枠体の正多面体形状の内部に取り付ける機器の位置調整又は向き調整が可能な構成にしてある請求項１〜４のいずれか１項に記載の機器設置用枠。
【発明の詳細な説明】
【技術分野】
【０００１】
本発明は、多面体の各辺を各頂点で連結した形態のフレーム構造を有する枠体に、その多面体形状の内部に機器を取り付ける機器取付部を設け、その枠体は、互いに同構造の枠体どうしをそれらの多面体形状における各１面どうしが連結面として近接対向する隣接配置で連結手段により相互に連結固定する構成にしてある機器設置用枠に関する。
【背景技術】
【０００２】
従来、この種の機器設置用枠としては、特許文献１に見られるように、内部にプロペラファンを取り付けた直方体形状の枠体（本体ケーシング）を、その左右各面を同構造の枠体に対する連結面として横一列に複数並べた状態で相互に連結固定し、この相互連結により送風機列を構成するものが知られている。
【先行技術文献】
【特許文献】
【０００３】
【特許文献１】特開２００１−２６３２９９号公報
【発明の概要】
【発明が解決しようとする課題】
【０００４】
しかし、上記送風機列を構成する互いに同構造の各枠体は、その左右各面を隣の枠体に対する連結面として横一列に複数並べた状態で相互に連結することしかできず、それら枠体夫々の姿勢及び枠体どうしの配置パターン（換言すれば、枠体内部の機器夫々の姿勢及び機器どうしの配置パターン）が限られるため、それら枠体の内部に配置した機器を使用する上で機能性や汎用性あるいは設置性などが制限される問題があった。
【０００５】
この実情に鑑み、本発明の主たる課題は、合理的な枠体構造により上記問題を効果的に解消し得る機器設置用枠を提供する点にある。
【課題を解決するための手段】
【０００６】
本発明の第１特徴構成は機器設置用枠に係り、その特徴は、
多面体の各辺を各頂点で連結した形態のフレーム構造を有する枠体に、その多面体形状の内部に機器を取り付ける機器取付部を設け、
前記枠体は、互いに同構造の枠体どうしをそれらの多面体形状における各１面どうしが連結面として近接対向する隣接配置で連結手段により相対的に連結固定する構成にしてある機器設置用枠であって、
前記枠体のフレーム構造は正多面体の各辺を各頂点で連結した形態のフレーム構造にし、
前記枠体は、その正多面体形状における３面以上の面の各々を前記連結手段により連結固定する同構造の枠体に対する前記連結面として選択することが可能な構成にしてある点にある。
【０００７】
この第１特徴構成によれば、互いに同構造の枠体どうしをそれらの多面体形状における各１面どうしが連結面として近接対向する隣接配置で連結手段により相互に連結固定するのに、それら連結対象の枠体の各々について、その正多面体形状における３面以上の面（望ましくは全て面）のうちのいずれの面を同構造の枠体に対する連結面とするかを必要に応じて選択することができる（略言すれば、枠体の正多面体形状における３面以上の面のうちのいずれの面に同構造の枠体を連結するかを必要に応じて選択することができる）から、２個の枠体どうしだけを相互に連結固定する場合にしても、それら枠体夫々の姿勢及び枠体どうしの配置パターン（換言すれば、枠体内部の機器夫々の姿勢及び機器どうしの配置パターン）について種々の姿勢及び種々の配置パターンを採ることができる。
【０００８】
また、３個以上の枠体どうしを相互に連結固定する場合では、それら枠体夫々の姿勢（枠体内部の機器夫々の姿勢）について種々の姿勢を採り得るとともに、枠体どうしの配置パターン（機器どうしの配置パターン）について更に多種の配置パターンを採ることができ、これらのことで、それら複数の枠体夫々の内部に取り付けた機器を使用する上での機能性や汎用性あるいは設置性などを従前に比べ効果的に高めることができる。
【０００９】
なお、この第１特徴構成の実施においては、１つの枠体を同構造の枠体と相互連結することなく、その枠体を単体で使用してもよいことは言うまでもない。
【００１０】
また、枠体の正多面体形状における３面以上の面の各々を連結手段により連結固定する同構造の枠体に対する連結面として選択し得る構成とするのに、連結面としての選択を可能にする面の面数は３面以上であれば何面であってもよく、枠体の正多面体形状における全ての面を連結面として選択し得るようにしてもよい。
【００１１】
この第１特徴構成の実施において、枠体の正多面体形状における内部に取り付ける機器は、送風装置や照明装置あるいは音響装置など、どのような機器であってもよいが、枠体の外部に対して指向的に作用する指向性機器が特に好適である。
【００１２】
本発明の第２特徴構成は、第１特徴構成の実施に好適な構成であり、その特徴は、
前記連結手段は、前記枠体の正多面体形状における頂点部に配置するとともに、この頂点部を共有頂点部とする前記正多面体形状における複数面のうちのいずれの１面を前記連結面として同構造の枠体を隣接配置した場合にも、それら枠体どうしの連結固定に兼用して使用できる構成にしてある。
【００１３】
この第２特徴構成によれば、連結手段を配置した頂点部を共有頂点部とする正多面体形状における複数面のうちのいずれの１面を連結面として同構造の枠体を隣接配置した場合にも、その頂点部に配置の連結手段を枠体どうしの連結固定に兼用して使用できるから、全体構成を簡略化することができ、また、その分、取扱いを容易にするとともにコスト面でも有利になる。
【００１４】
なお、この第２特徴構成の実施においては、連結手段を配置した頂点部を共有頂点部とする正多面体形状における複数面のうちの２面以上の面を連結面として２個以上の同構造の枠体を同時に隣接配置する場合にも、その頂点部に配置の連結手段をそれら枠体どうしの連結固定に兼用して使用できるようにしてもよい。
【００１５】
本発明の第３特徴構成は、第１又は第２特徴構成の実施に好適な構成であり、その特徴は、
前記連結手段は、前記枠体の正多面体形状における頂点部に形成した個別凹部と、その個別凹部に嵌め込んだ状態でその個別凹部の内部で前記枠体に連結固定する嵌込連結具とで構成し、
前記個別凹部は、互いに同構造の前記枠体どうしをそれらの前記連結面が近接対向する隣接配置状態にしたときに、それら枠体の前記個別凹部どうしが結合してそれら枠体にわたる一連の連結用凹部を形成する構成にし、
前記嵌込連結具は、前記個別凹部どうしの結合により形成された前記連結用凹部に嵌め込んで枠体どうしにわたらせた状態で、その連結用凹部における各個別凹部の内部で各枠体に連結する構成にしてある点にある。
【００１６】
この第３特徴構成では、連結対象の枠体夫々の個別凹部どうしの結合により形成される連結用凹部に嵌込連結具を嵌め込むことで、その嵌込連結具を連結対象の枠体どうしにわたらせた状態（具体的には、それら枠体の個別凹部どうしにわたらせた状態）にし、その状態で嵌込連結具を連結用凹部における各個別凹部の内部で各枠体に連結することで、それら枠体を嵌込連結具により相互に連結固定する。
【００１７】
そして、この第３特徴構成によれば、嵌込連結具を連結用凹部に嵌め込むから、その嵌込連結具が連結用凹部から外部に突出した状態になること（換言すれば、嵌込連結具が正多面体形状の頂点部から外部に突出した状態になること）を抑止することができ、また、嵌込連結具を連結用凹部の内部（具体的には連結用凹部における各個別凹部の内部）において各枠体に連結するから、嵌込連結具を各枠体に連結する端末連結具が連結用凹部から外部に突出した状態になること（換言すれば、端末連結具が正多面体形状の頂点部から外部に突出した状態になること）も抑止することができ、これにより、それら嵌込連結具や端末連結具が邪魔になることや、それら嵌込連結具や端末連結具に他物が接触する接触トラブルなどを効果的に回避することができ、また、外観的にもシンプルで意匠性に優れたものにすることができる。
【００１８】
本発明の第４特徴構成は、第３特徴構成の実施に好適な構成であり、その特徴は、
前記連結手段を構成する前記個別凹部及び前記嵌込連結具は、前記連結用凹部に対する前記嵌込連結具の嵌め込みに伴い連結対象の前記枠体どうしを適正な隣接配置状態に位置決めする構成にしてある点にある。
【００１９】
この第４特徴構成によれば、連結用凹部に対する嵌込連結具の嵌め込みに伴い連結対象の枠体どうしが適正な隣接配置状態に位置決めされるから、連結対象の枠体どうしを予め適正な隣接配置状態に位置決め操作した上で、それら枠体どうしに連結ボルトなどの連結具をわたして枠体どうしを連結固定するといった一般的な連結構造を採る場合に比べ、枠体どうしの連結固定操作を容易に能率良く行うことができる。
【００２０】
本発明の第５特徴構成は、第１〜第４特徴構成のいずれかの実施に好適な構成であり、その特徴は、
前記機器取付部は、それにより前記枠体の正多面体形状の内部に取り付ける機器の位置調整又は向き調整が可能な構成にしてある点にある。
【００２１】
この第５特徴構成によれば、枠体の正多面体形状の内部に取り付ける機器の位置調整又は向き調整を行えることで、枠体内部の機器（殊に、相互連結した複数の枠体の内部取り付け機器）を使用する上での機能性や汎用性あるいは設置性などを一層効果的に高めることができる。
【図面の簡単な説明】
【００２２】
【図１】機器設置用枠の斜視図
【図２】機器設置用枠における連結部の（ａ）外面側斜視図及び（ｂ）内面側斜視図
【図３】嵌込連結具の（ａ）内面側斜視図及び（ｂ）外面側斜視図
【図４】連結部の分解斜視図
【図５】嵌込連結具の取り付け例を分解斜視図
【図６】機器設置用枠の使用例（ａ），（ｂ）を示す斜視図
【図７】機器設置用枠の使用例（ａ），（ｂ）を示す斜視図
【図８】機器設置用枠の使用例（ａ），（ｂ）を示す斜視図
【図９】機器設置用枠の使用例（ａ），（ｂ）を示す斜視図
【発明を実施するための形態】
【００２３】
図１は機器設置用枠を示し、この機器設置用枠の主体である枠体１は立方体の各辺を各頂点で連結した形態のフレーム構造を有し、この枠体１には、その立方体形状における内部に扇風機２Ａなどの機器２を取り付ける機器取付部３を設けてある。
【００２４】
枠体１はアルミ型材からなる角棒状の主フレーム４どうしを連結して形成してあり、機器取付部３は、枠体１の立方体形状における１つの面の対向２辺に該当する主フレーム４（４ａ）にわたらせた状態でそれら主フレーム４（４ａ）に連結した屈曲アルミパイプからなる支持フレーム５により形成してある。
【００２５】
この支持フレーム５の両端部５ａは、支持脚として枠体１の立方体形状における中央部に向けて延出させてあり、取り付け対象の機器２に取り付けてある２本の脚パイプ２ａの各々に支持フレーム５の各端部５ａを差し込んだ状態で、脚パイプ２ａに装備のパイプ固定ネジ２ｂにより脚パイプ２ａと支持フレーム５の端部５ａとを相互に抜止固定することで、機器２を枠体１の立方体形状における内部において支持するようにしてある。
【００２６】
なお、取り付け機器２として本例に示すように扇風機２Ａを枠体１の内部に取り付ける場合、その扇風機２Ａは、枠体１の内部において縦軸芯周り及び横軸芯での首角度の調整による送風向きの調整、並びに、縦軸芯周りでの反復首振り動作が可能なものにするのが望ましい。
【００２７】
枠体１は、互いに同構造の枠体１どうしをそれらの立方体形状における各１面どうしが連結面として近接対向する隣接配置で連結手段６により相互に連結固定し得る構造にしてあり、また、この構造を採るにあたり、枠体１は、その立方体形状における６面全ての面の各々を連結手段６により連結固定する同構造の枠体１に対する連結面として選択することが可能な構成にしてあり、これにより、図６〜図９に示す如く、枠体１夫々の姿勢及び枠体１どうしの配置パターン（換言すれば、枠体内部の機器２夫々の姿勢及び機器２どうしの配置パターン）を要求に応じて種々に変化させた状態で、複数の枠体１を相互に連結固定できるようにしてある。
【００２８】
図６（ａ），（ｂ）は夫々、３個の枠体１を縦一列に並べて相互に連結固定した例を示すが、図６（ａ）に示す例と図６（ｂ）に示す例とでは、最上段の枠体１の連結姿勢（即ち、扇風機２Ａの設置姿勢）が異なる。
【００２９】
また、図７（ａ），（ｂ）は夫々、３個の枠体１を横一列に並べて相互に連結固定した例を示すが、図７（ａ）に示す例では、取り付け機器２である３台の扇風機２Ａをそれら扇風機２Ａ夫々の送風方向がそれら扇風機２Ａの並び方向に対して直交する並列状態に配置してあり、図７（ｂ）に示す例では、取り付け機器２である３台の扇風機２Ａをそれら扇風機２Ａ夫々の送風方向がそれら扇風機２Ａの並び方向に一致する直列配置にしてある。
【００３０】
図８（ａ），（ｂ）は夫々、４個の枠体１を上下２段及び左右２段に配置して相互に連結固定した例を示すが、図８（ａ）に示す例では、取り付け機器２である４台の扇風機２Ａを並列配置にしてあり、図８（ｂ）に示す例では、取り付け機器２である４台の扇風機２Ａを、左側の上下２台の扇風機２Ａが左側を向き、右側の上下２台の扇風機２Ａが右側を向く状態に配置にしてある。
【００３１】
図９（ａ），（ｂ）は夫々、上下方向への並置と横方向への並置とを組わせた配置形態で複数の枠体１を相互に連結固定した例を示すが、図９（ａ）に示す例では、取り付け機器２として全ての枠体１の内部に扇風機２Ａを取り付けてあり、図９（ｂ）に示す例では、最上段の枠体１の内部には取り付け機器２として投光機２Ｂを取り付け、その他の枠体１の内部には取り付け機器２として全て扇風機２Ａを取り付けてある。
【００３２】
枠体１の立方体形状における８つの各頂点部には概ね三角錐形状の樹脂製の連結ブロック７を配置してあり、図２〜図４に示すように、この連結ブロック７に形成してある開口向きが互いに直交する３つのフレーム連結孔７ａに３本の主フレーム４の端部を各別に差し込んだ状態で、フレーム固定ボルト７ｂにより各主フレーム４の端部を連結ブロック７に対して抜止固定することで、それら３本の主フレーム４を相互に連結する。
【００３３】
即ち、この連結ブロック７に対する主フレーム連結操作を、枠体１の立方体形状における各頂点部に配置する８つの連結ブロック７の各々について行うことで、枠体１における立方体形状のフレーム構造を組み立てる。
【００３４】
枠体１どうしを相互に連結固定する連結手段６も枠体１の立方体形状における８つの各頂点部に配置してあり、具体的には、上記連結ブロック７の三角錐形状における頂点部に個別凹部８を形成するとともに、この個別凹部８に対して半部を嵌め込んだ状態でその個別凹部８の内部において連結ボルト９により連結ブロック７に連結する樹脂製の嵌込連結具１０を設け、これら個別凹部８と嵌込連結具１０と端末接続具としての連結ボルト９とで枠体１の立方体形状における８つの各頂点部の連結手段６を構成してある。
【００３５】
また、連結ブロック７における個別凹部８は、連結対象の枠体１どうしをそれらの連結面が近接対向する隣接配置状態にしたときに連結ブロック７の個別凹部８どうしが結合して両枠体１にわたる一連の連結用凹部１１を形成する構造にしてある。
【００３６】
即ち、一方の枠体１の連結ブロック７における個別凹部８に嵌込連結具１０の半部を嵌め込み、かつ、他方の枠体１の連結ブロック７における個別凹部８に嵌込連結具１０の残りの半部を嵌め込む形態で、それら個別凹部８どうしの結合により形成された連結用凹部１１に嵌込連結具１０を嵌め込むことにより、その嵌込連結具１０を両枠体１の連結ブロック７どうしにわたらせ、この状態で嵌込連結具１０を連結用凹部１１における各個別凹部８の内部で各枠体１の連結ブロック７に対し連結ボルト９により連結することにより、枠体１どうしを相互に連結固定する。
【００３７】
個別凹部８及び嵌込連結具１０は、枠体１の立方体形状における８つの頂点部について全て共通のものにしてあり、したがって、嵌込連結具９は、枠体１の立方体形状における８つの頂点部のいずれの頂点部において形成される連結用凹部１１での枠体１どうしの連結にも使用することができる。
【００３８】
個別凹部８は、枠体１の立方体形状において１つの頂点を共有する３辺の各々に対して直交する姿勢にした同一形状の３つの側面８ａ（換言すれば、１つの連結ブロック７に対して連結する３本の主フレーム４の各々に対して直交する姿勢にした同一形状の３つ側面８ａ）と、枠体１の立方体形状における中心と頂点とを結ぶ対角線に対して直交する姿勢にした１つの正三角形状の底面８ｂとで形成し、その底面８ｂの中央部に嵌込連結具１０に対する連結ボルト９をねじ込むボルト孔８ｃを形成してある。
【００３９】
これに対し、嵌込連結具１０は、連結用凹部１１に嵌め込んだ状態において、その連結用凹部１１を形成する２つの個別凹部８夫々の３側面８ａと底面８ｂとの各々に対して隙間なく接する２つの長板部１０ａと２つの短板部１０ｂと２つの角板部１０ｃとを備える舟形立体構造にしてあり、これら２つの角板部１０ｃ夫々の中央部、即ち、連結用凹部１１を形成する２つの個別凹部８夫々の底面８ｂにおけるボルト孔８ｃに対して合致する位置に連結ボルト９用のボルト挿通孔１０ｄ形成してある。
【００４０】
つまり、連結ブロック７における個別凹部８及び嵌込連結具１０を上記の如き構造にすることで、枠体１の立方体形状における８つの各頂点部に配置する連結ブロック７の各々について、各連結ブロック７を配置した頂点部を共有頂点部とする立方体形状における３面のうちのいずれの１面を連結面として同構造の枠体１を隣接配置した場合にも、それら枠体１どうしの連結固定に連結手段６としての個別凹部８及び嵌込連結具１０を兼用して使用できるようにしてあり、これにより、例えば前述の図８に示す使用例において、図５示すように４つの枠体１が接する表側と裏側の接合部ａ，ｂのうち表側の接合部ａでは、嵌込連結具１０を横向き姿勢で連結用凹部１１に嵌め込んで左右の枠体１どうしを連結するのに対し、裏側の接合部ｂでは嵌込連結１０を縦姿勢で連結用凹部１１に嵌め込んで上下の枠体１どうしを連結するようにしている。
【００４１】
また、個別凹部８及び嵌込連結具１０を上記の如き構造にすることで、個別凹部８どうしの結合により形成される連結用凹部１１に対する嵌込連結具１０の嵌め込みに伴い、個別凹部８の側面８ａとそれに対向する嵌込連結具１０における長板部１０ａの表面との摺接により、連結対象の枠体１どうしが適正な隣接配置状態（即ち、連結用凹部１１を形成する２つの個別凹部８の夫々について、個別凹部８の底面８ｂにおけるボルト孔８ｃと嵌込連結具１０の角板部１０ｃにおけるボルト挿通孔１０ｄとが合致する隣接配置状態）に自ずと位置決めされるようにしてある。
【００４２】
そしてまた、嵌込連結具１０を連結用凹部１１に嵌め込む構造にするともに、連結用凹部１１の内部において嵌込連結具１０を連結ボルト９により連結ブロック７に連結する構造とすることで、嵌込連結具１０や端末連結具としての連結ボルト９が連結用凹部１１から外部に突出した状態にならないようにし、さらには、連結ボルト９をねじ込むボルト孔８ｃを形成する個別凹部８の底面８ｂを枠体１の立方体形状における中心と頂点とを結ぶ対角線に対して直交する姿勢の面にすることで、連結ボルト９のねじ込み操作もスペース的に余裕のある状態で容易に行えるようにしてある。
【００４３】
なお、舟形立体構造とした嵌込連結具１０には、２つの長板部１０ａの中央箇所どうしにわたるリブ部１０ｅを形成してあり、このリブ部１０ｅにより嵌込連結具１０を補強するとともに、このリブ部１０ｅを掴むことで嵌込連結具１０による枠体１どうしの連結操作も一層容易に行えるようにしてある。
【００４４】
また、連結ブロック７の外面部（即ち、連結した枠体１の連結ブロック７どうしが当接する面部）には、防振パッド１２を付設してあり、この防振パッド１２により枠体１間にわたる機器振動の伝播を防止するとともに、連結操作時における枠体１どうしの滑りを防止する。
【００４５】
〔別実施形態〕
次に本発明の別実施形態を列記する。
【００４６】
上述の実施形態において枠体１は、立方体形状（正六面体形状）のフレーム構造を有するものにしたが、本発明の実施において枠体１は、その他の正多面体形状（正四面体形状、正八面体形状、正十二面体形状、正二十面体形状など）のフレーム構造を有するものにしてもよい。
【００４７】
また、枠体１の正多面体形状における一部の面部や各面部における一部分に種々の形状の壁部を設けるようにしてよい。
【００４８】
枠体１は、その正多面体形状における全ての面の各々を連結対象の枠体１に対する連結面として選択し得る構造に限らず、その正多面体形状における３面以上の面の各々を連結対象の枠体１に対する連結面として選択し得る構造であればよい。
【００４９】
枠体１どうしをそれらの正多面体形状における各１面どうしが連結面として近接対向する隣接配置で相互に連結固定する連結する連結手段６は、上述の実施形態で示した個別凹部８と嵌込連結具１０と連結ボルト９とからなるものに限らず、例えば枠体１どうしをボルト及びナットのみにより相互に連結するものなど、種々の連結方式の各種構造のものを採用することができる。
【００５０】
枠体１の内部に取り付ける機器２は、扇風機２Ａあるいは投光機２Ｂに限られるものではなく、スピーカや装飾照明器あるいはエアコン室内機など、どのような機器であってもよい。
【００５１】
また、枠体１の正多面体形状における内部に機器２を取り付ける機器取付部３は、昇降構造や横スライド構造あるいは旋回構造などの採用により、取り付け機器２の位置調整や向き調整が可能なものにしてもよい。
【産業上の利用可能性】
【００５２】
本発明による機器設置枠は各種分野において種々の機器の設置に利用することができる。
【符号の説明】
【００５３】
１                  枠体
２                  機器
３                  機器取付部
６                  連結手段
８                  個別凹部
１０                嵌込連結具
１１                連結用凹部
【図１】
2015048880.tif 000003
【図２】
2015048880.tif 000004
【図３】
2015048880.tif 000005
【図４】
2015048880.tif 000006
【図５】
2015048880.tif 000007
【図６】
2015048880.tif 000008
【図７】
2015048880.tif 000009
【図８】
2015048880.tif 000010
【図９】
2015048880.tif 000011
【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
多面体の各辺を各頂点で連結した形態のフレーム構造を有する枠体に、その多面体形状の内部に機器を取り付ける機器取付部を設け、
前記枠体は、互いに同構造の枠体どうしをそれらの多面体形状における各１面どうしが連結面として近接対向する隣接配置で連結手段により相互に連結固定する構成にしてある機器設置用枠であって、
前記枠体のフレーム構造は正多面体の各辺を各頂点で連結した形態のフレーム構造にし、
前記枠体は、その正多面体形状における３面以上の面の各々を前記連結手段により連結固定する同構造の枠体に対する前記連結面として選択することが可能な構成にし、
前記連結手段は、前記枠体の正多面体形状における頂点部に配置するとともに、この頂点部を共有頂点部とする前記正多面体形状における複数面のうちのいずれの１面を前記連結面として同構造の枠体を隣接配置した場合にも、それら枠体どうしの連結固定に兼用して使用できる構成にしてある機器設置用枠。
【請求項２】
多面体の各辺を各頂点で連結した形態のフレーム構造を有する枠体に、その多面体形状の内部に機器を取り付ける機器取付部を設け、
前記枠体は、互いに同構造の枠体どうしをそれらの多面体形状における各１面どうしが連結面として近接対向する隣接配置で連結手段により相互に連結固定する構成にしてある機器設置用枠であって、
前記枠体のフレーム構造は正多面体の各辺を各頂点で連結した形態のフレーム構造にし、
前記枠体は、その正多面体形状における３面以上の面の各々を前記連結手段により連結固定する同構造の枠体に対する前記連結面として選択することが可能な構成にし、
前記連結手段は、前記枠体の正多面体形状における頂点部に形成した個別凹部と、その個別凹部に嵌め込んだ状態でその個別凹部の内部で前記枠体に連結固定する嵌込連結具とで構成し、
前記個別凹部は、互いに同構造の前記枠体どうしをそれらの前記連結面が近接対向する隣接配置状態にしたときに、それら枠体の前記個別凹部どうしが結合してそれら枠体にわたる一連の連結用凹部を形成する構成にし、
前記嵌込連結具は、前記個別凹部どうしの結合により形成された前記連結用凹部に嵌め込んで枠体どうしにわたらせた状態で、その連結用凹部における各個別凹部の内部で各枠体に連結する構成にしてある機器設置用枠。
【請求項３】
前記連結手段を構成する前記個別凹部及び前記嵌込連結具は、前記連結用凹部に対する前記嵌込連結具の嵌め込みに伴い連結対象の前記枠体どうしを適正な隣接配置状態に位置決めする構成にしてある請求項２記載の機器設置用枠。
【請求項４】
前記連結手段は、前記枠体の正多面体形状における全ての頂点部について共通にしてある請求項１〜３のいずれか１項に記載の機器設置用枠。
【請求項５】
前記機器取付部は、それにより前記枠体の正多面体形状の内部に取り付ける機器の位置調整又は向き調整が可能な構成にしてある請求項１〜４のいずれか１項に記載の機器設置用枠。
【手続補正２】
【補正対象書類名】明細書
【補正対象項目名】全文
【補正方法】変更
【補正の内容】
【発明の詳細な説明】
【技術分野】
【０００１】
本発明は、多面体の各辺を各頂点で連結した形態のフレーム構造を有する枠体に、その多面体形状の内部に機器を取り付ける機器取付部を設け、その枠体は、互いに同構造の枠体どうしをそれらの多面体形状における各１面どうしが連結面として近接対向する隣接配置で連結手段により相互に連結固定する構成にしてある機器設置用枠に関する。
【背景技術】
【０００２】
従来、この種の機器設置用枠としては、特許文献１に見られるように、内部にプロペラファンを取り付けた直方体形状の枠体（本体ケーシング）を、その左右各面を同構造の枠体に対する連結面として横一列に複数並べた状態で相互に連結固定し、この相互連結により送風機列を構成するものが知られている。
【先行技術文献】
【特許文献】
【０００３】
【特許文献１】特開２００１−２６３２９９号公報
【発明の概要】
【発明が解決しようとする課題】
【０００４】
しかし、上記送風機列を構成する互いに同構造の各枠体は、その左右各面を隣の枠体に対する連結面として横一列に複数並べた状態で相互に連結することしかできず、それら枠体夫々の姿勢及び枠体どうしの配置パターン（換言すれば、枠体内部の機器夫々の姿勢及び機器どうしの配置パターン）が限られるため、それら枠体の内部に配置した機器を使用する上で機能性や汎用性あるいは設置性などが制限される問題があった。
【０００５】
この実情に鑑み、本発明の主たる課題は、合理的な枠体構造により上記問題を効果的に解消し得る機器設置用枠を提供する点にある。
【課題を解決するための手段】
【０００６】
本発明の第１特徴構成は機器設置用枠に係り、その特徴は、
多面体の各辺を各頂点で連結した形態のフレーム構造を有する枠体に、その多面体形状の内部に機器を取り付ける機器取付部を設け、
前記枠体は、互いに同構造の枠体どうしをそれらの多面体形状における各１面どうしが連結面として近接対向する隣接配置で連結手段により相対的に連結固定する構成にしてある機器設置用枠であって、
前記枠体のフレーム構造は正多面体の各辺を各頂点で連結した形態のフレーム構造にし、
前記枠体は、その正多面体形状における３面以上の面の各々を前記連結手段により連結固定する同構造の枠体に対する前記連結面として選択することが可能な構成にし、
前記連結手段は、前記枠体の正多面体形状における頂点部に配置するとともに、この頂点部を共有頂点部とする前記正多面体形状における複数面のうちのいずれの１面を前記連結面として同構造の枠体を隣接配置した場合にも、それら枠体どうしの連結固定に兼用して使用できる構成にしてある点にある。
【０００７】
この第１特徴構成によれば、互いに同構造の枠体どうしをそれらの多面体形状における各１面どうしが連結面として近接対向する隣接配置で連結手段により相互に連結固定するのに、それら連結対象の枠体の各々について、その正多面体形状における３面以上の面（望ましくは全て面）のうちのいずれの面を同構造の枠体に対する連結面とするかを必要に応じて選択することができる（略言すれば、枠体の正多面体形状における３面以上の面のうちのいずれの面に同構造の枠体を連結するかを必要に応じて選択することができる）から、２個の枠体どうしだけを相互に連結固定する場合にしても、それら枠体夫々の姿勢及び枠体どうしの配置パターン（換言すれば、枠体内部の機器夫々の姿勢及び機器どうしの配置パターン）について種々の姿勢及び種々の配置パターンを採ることができる。
【０００８】
また、３個以上の枠体どうしを相互に連結固定する場合では、それら枠体夫々の姿勢（枠体内部の機器夫々の姿勢）について種々の姿勢を採り得るとともに、枠体どうしの配置パターン（機器どうしの配置パターン）について更に多種の配置パターンを採ることができ、これらのことで、それら複数の枠体夫々の内部に取り付けた機器を使用する上での機能性や汎用性あるいは設置性などを従前に比べ効果的に高めることができる。
【０００９】
なお、この第１特徴構成の実施においては、１つの枠体を同構造の枠体と相互連結することなく、その枠体を単体で使用してもよいことは言うまでもない。
【００１０】
また、枠体の正多面体形状における３面以上の面の各々を連結手段により連結固定する同構造の枠体に対する連結面として選択し得る構成とするのに、連結面としての選択を可能にする面の面数は３面以上であれば何面であってもよく、枠体の正多面体形状における全ての面を連結面として選択し得るようにしてもよい。
【００１１】
この第１特徴構成の実施において、枠体の正多面体形状における内部に取り付ける機器は、送風装置や照明装置あるいは音響装置など、どのような機器であってもよいが、枠体の外部に対して指向的に作用する指向性機器が特に好適である。
【００１２】
さらにまた、上記第１特徴構成では、前記連結手段は、前記枠体の正多面体形状における頂点部に配置するとともに、この頂点部を共有頂点部とする前記正多面体形状における複数面のうちのいずれの１面を前記連結面として同構造の枠体を隣接配置した場合にも、それら枠体どうしの連結固定に兼用して使用できる構成にしてあるから、次の作用効果も得ることができる。
【００１３】
つまり、連結手段を配置した頂点部を共有頂点部とする正多面体形状における複数面のうちのいずれの１面を連結面として同構造の枠体を隣接配置した場合にも、その頂点部に配置の連結手段を枠体どうしの連結固定に兼用して使用できるから、全体構成を簡略化することができ、また、その分、取扱いを容易にするとともにコスト面でも有利になる。
【００１４】
なお、この第１特徴構成の実施においては、連結手段を配置した頂点部を共有頂点部とする正多面体形状における複数面のうちの２面以上の面を連結面として２個以上の同構造の枠体を同時に隣接配置する場合にも、その頂点部に配置の連結手段をそれら枠体どうしの連結固定に兼用して使用できるようにしてもよい。
【００１５】
本発明の第２特徴構成は機器設置用枠に係り、その特徴は、
多面体の各辺を各頂点で連結した形態のフレーム構造を有する枠体に、その多面体形状の内部に機器を取り付ける機器取付部を設け、
前記枠体は、互いに同構造の枠体どうしをそれらの多面体形状における各１面どうしが連結面として近接対向する隣接配置で連結手段により相対的に連結固定する構成にしてある機器設置用枠であって、
前記枠体のフレーム構造は正多面体の各辺を各頂点で連結した形態のフレーム構造にし、
前記枠体は、その正多面体形状における３面以上の面の各々を前記連結手段により連結固定する同構造の枠体に対する前記連結面として選択することが可能な構成にし、
前記連結手段は、前記枠体の正多面体形状における頂点部に形成した個別凹部と、その個別凹部に嵌め込んだ状態でその個別凹部の内部で前記枠体に連結固定する嵌込連結具とで構成し、
前記個別凹部は、互いに同構造の前記枠体どうしをそれらの前記連結面が近接対向する隣接配置状態にしたときに、それら枠体の前記個別凹部どうしが結合してそれら枠体にわたる一連の連結用凹部を形成する構成にし、
前記嵌込連結具は、前記個別凹部どうしの結合により形成された前記連結用凹部に嵌め込んで枠体どうしにわたらせた状態で、その連結用凹部における各個別凹部の内部で各枠体に連結する構成にしてある点にある。
【００１６】
この第２特徴構成によれば、前述の第１特徴構成と同様、互いに同構造の枠体どうしをそれらの多面体形状における各１面どうしが連結面として近接対向する隣接配置で連結手段により相互に連結固定するのに、それら連結対象の枠体の各々について、その正多面体形状における３面以上の面（望ましくは全て面）のうちのいずれの面を同構造の枠体に対する連結面とするかを必要に応じて選択することができる（略言すれば、枠体の正多面体形状における３面以上の面のうちのいずれの面に同構造の枠体を連結するかを必要に応じて選択することができる）から、２個の枠体どうしだけを相互に連結固定する場合にしても、それら枠体夫々の姿勢及び枠体どうしの配置パターン（換言すれば、枠体内部の機器夫々の姿勢及び機器どうしの配置パターン）について種々の姿勢及び種々の配置パターンを採ることができる。
また、３個以上の枠体どうしを相互に連結固定する場合では、それら枠体夫々の姿勢（枠体内部の機器夫々の姿勢）について種々の姿勢を採り得るとともに、枠体どうしの配置パターン（機器どうしの配置パターン）について更に多種の配置パターンを採ることができ、これらのことで、それら複数の枠体夫々の内部に取り付けた機器を使用する上での機能性や汎用性あるいは設置性などを従前に比べ効果的に高めることができる。
なお、この第２特徴構成の実施においては、第１特徴構成と同様、１つの枠体を同構造の枠体と相互連結することなく、その枠体を単体で使用してもよいことは言うまでもない。
また、枠体の正多面体形状における３面以上の面の各々を連結手段により連結固定する同構造の枠体に対する連結面として選択し得る構成とするのに、連結面としての選択を可能にする面の面数は３面以上であれば何面であってもよく、枠体の正多面体形状における全ての面を連結面として選択し得るようにしてもよい。
この第２特徴構成の実施において、枠体の正多面体形状における内部に取り付ける機器は、送風装置や照明装置あるいは音響装置など、どのような機器であってもよいが、枠体の外部に対して指向的に作用する指向性機器が特に好適である。
さらにまた、この第２特徴構成では、連結対象の枠体夫々の個別凹部どうしの結合により形成される連結用凹部に嵌込連結具を嵌め込むことで、その嵌込連結具を連結対象の枠体どうしにわたらせた状態（具体的には、それら枠体の個別凹部どうしにわたらせた状態）にし、その状態で嵌込連結具を連結用凹部における各個別凹部の内部で各枠体に連結することで、それら枠体を嵌込連結具により相互に連結固定する。
【００１７】
そして、この第２特徴構成によれば、嵌込連結具を連結用凹部に嵌め込むから、その嵌込連結具が連結用凹部から外部に突出した状態になること（換言すれば、嵌込連結具が正多面体形状の頂点部から外部に突出した状態になること）を抑止することができ、また、嵌込連結具を連結用凹部の内部（具体的には連結用凹部における各個別凹部の内部）において各枠体に連結するから、嵌込連結具を各枠体に連結する端末連結具が連結用凹部から外部に突出した状態になること（換言すれば、端末連結具が正多面体形状の頂点部から外部に突出した状態になること）も抑止することができ、これにより、それら嵌込連結具や端末連結具が邪魔になることや、それら嵌込連結具や端末連結具に他物が接触する接触トラブルなどを効果的に回避することができ、また、外観的にもシンプルで意匠性に優れたものにすることができる。
【００１８】
本発明の第３特徴構成は、第２特徴構成の実施に好適な構成であり、その特徴は、
前記連結手段を構成する前記個別凹部及び前記嵌込連結具は、前記連結用凹部に対する前記嵌込連結具の嵌め込みに伴い連結対象の前記枠体どうしを適正な隣接配置状態に位置決めする構成にしてある点にある。
【００１９】
この第３特徴構成によれば、連結用凹部に対する嵌込連結具の嵌め込みに伴い連結対象の枠体どうしが適正な隣接配置状態に位置決めされるから、連結対象の枠体どうしを予め適正な隣接配置状態に位置決め操作した上で、それら枠体どうしに連結ボルトなどの連結具をわたして枠体どうしを連結固定するといった一般的な連結構造を採る場合に比べ、枠体どうしの連結固定操作を容易に能率良く行うことができる。
本発明の第４特徴構成は、第１〜第３特徴構成のいずれかの実施に好適な構成であり、その特徴は、
前記連結手段は、前記枠体の正多面体形状における全ての頂点部について共通にしてある点にある。
この第４特徴構成によれば、連結手段は枠体の正多面体形状におけるいずれの頂点部での枠体どうしの連結にも使用することができる。
【００２０】
本発明の第５特徴構成は、第１〜第４特徴構成のいずれかの実施に好適な構成であり、その特徴は、
前記機器取付部は、それにより前記枠体の正多面体形状の内部に取り付ける機器の位置調整又は向き調整が可能な構成にしてある点にある。
【００２１】
この第５特徴構成によれば、枠体の正多面体形状の内部に取り付ける機器の位置調整又は向き調整を行えることで、枠体内部の機器（殊に、相互連結した複数の枠体の内部取り付け機器）を使用する上での機能性や汎用性あるいは設置性などを一層効果的に高めることができる。
【図面の簡単な説明】
【００２２】
【図１】機器設置用枠の斜視図
【図２】機器設置用枠における連結部の（ａ）外面側斜視図及び（ｂ）内面側斜視図
【図３】嵌込連結具の（ａ）内面側斜視図及び（ｂ）外面側斜視図
【図４】連結部の分解斜視図
【図５】嵌込連結具の取り付け例を分解斜視図
【図６】機器設置用枠の使用例（ａ），（ｂ）を示す斜視図
【図７】機器設置用枠の使用例（ａ），（ｂ）を示す斜視図
【図８】機器設置用枠の使用例（ａ），（ｂ）を示す斜視図
【図９】機器設置用枠の使用例（ａ），（ｂ）を示す斜視図
【発明を実施するための形態】
【００２３】
図１は機器設置用枠を示し、この機器設置用枠の主体である枠体１は立方体の各辺を各頂点で連結した形態のフレーム構造を有し、この枠体１には、その立方体形状における内部に扇風機２Ａなどの機器２を取り付ける機器取付部３を設けてある。
【００２４】
枠体１はアルミ型材からなる角棒状の主フレーム４どうしを連結して形成してあり、機器取付部３は、枠体１の立方体形状における１つの面の対向２辺に該当する主フレーム４（４ａ）にわたらせた状態でそれら主フレーム４（４ａ）に連結した屈曲アルミパイプからなる支持フレーム５により形成してある。
【００２５】
この支持フレーム５の両端部５ａは、支持脚として枠体１の立方体形状における中央部に向けて延出させてあり、取り付け対象の機器２に取り付けてある２本の脚パイプ２ａの各々に支持フレーム５の各端部５ａを差し込んだ状態で、脚パイプ２ａに装備のパイプ固定ネジ２ｂにより脚パイプ２ａと支持フレーム５の端部５ａとを相互に抜止固定することで、機器２を枠体１の立方体形状における内部において支持するようにしてある。
【００２６】
なお、取り付け機器２として本例に示すように扇風機２Ａを枠体１の内部に取り付ける場合、その扇風機２Ａは、枠体１の内部において縦軸芯周り及び横軸芯での首角度の調整による送風向きの調整、並びに、縦軸芯周りでの反復首振り動作が可能なものにするのが望ましい。
【００２７】
枠体１は、互いに同構造の枠体１どうしをそれらの立方体形状における各１面どうしが連結面として近接対向する隣接配置で連結手段６により相互に連結固定し得る構造にしてあり、また、この構造を採るにあたり、枠体１は、その立方体形状における６面全ての面の各々を連結手段６により連結固定する同構造の枠体１に対する連結面として選択することが可能な構成にしてあり、これにより、図６〜図９に示す如く、枠体１夫々の姿勢及び枠体１どうしの配置パターン（換言すれば、枠体内部の機器２夫々の姿勢及び機器２どうしの配置パターン）を要求に応じて種々に変化させた状態で、複数の枠体１を相互に連結固定できるようにしてある。
【００２８】
図６（ａ），（ｂ）は夫々、３個の枠体１を縦一列に並べて相互に連結固定した例を示すが、図６（ａ）に示す例と図６（ｂ）に示す例とでは、最上段の枠体１の連結姿勢（即ち、扇風機２Ａの設置姿勢）が異なる。
【００２９】
また、図７（ａ），（ｂ）は夫々、３個の枠体１を横一列に並べて相互に連結固定した例を示すが、図７（ａ）に示す例では、取り付け機器２である３台の扇風機２Ａをそれら扇風機２Ａ夫々の送風方向がそれら扇風機２Ａの並び方向に対して直交する並列状態に配置してあり、図７（ｂ）に示す例では、取り付け機器２である３台の扇風機２Ａをそれら扇風機２Ａ夫々の送風方向がそれら扇風機２Ａの並び方向に一致する直列配置にしてある。
【００３０】
図８（ａ），（ｂ）は夫々、４個の枠体１を上下２段及び左右２段に配置して相互に連結固定した例を示すが、図８（ａ）に示す例では、取り付け機器２である４台の扇風機２Ａを並列配置にしてあり、図８（ｂ）に示す例では、取り付け機器２である４台の扇風機２Ａを、左側の上下２台の扇風機２Ａが左側を向き、右側の上下２台の扇風機２Ａが右側を向く状態に配置にしてある。
【００３１】
図９（ａ），（ｂ）は夫々、上下方向への並置と横方向への並置とを組わせた配置形態で複数の枠体１を相互に連結固定した例を示すが、図９（ａ）に示す例では、取り付け機器２として全ての枠体１の内部に扇風機２Ａを取り付けてあり、図９（ｂ）に示す例では、最上段の枠体１の内部には取り付け機器２として投光機２Ｂを取り付け、その他の枠体
１の内部には取り付け機器２として全て扇風機２Ａを取り付けてある。
【００３２】
枠体１の立方体形状における８つの各頂点部には概ね三角錐形状の樹脂製の連結ブロック７を配置してあり、図２〜図４に示すように、この連結ブロック７に形成してある開口向きが互いに直交する３つのフレーム連結孔７ａに３本の主フレーム４の端部を各別に差し込んだ状態で、フレーム固定ボルト７ｂにより各主フレーム４の端部を連結ブロック７に対して抜止固定することで、それら３本の主フレーム４を相互に連結する。
【００３３】
即ち、この連結ブロック７に対する主フレーム連結操作を、枠体１の立方体形状における各頂点部に配置する８つの連結ブロック７の各々について行うことで、枠体１における立方体形状のフレーム構造を組み立てる。
【００３４】
枠体１どうしを相互に連結固定する連結手段６も枠体１の立方体形状における８つの各頂点部に配置してあり、具体的には、上記連結ブロック７の三角錐形状における頂点部に個別凹部８を形成するとともに、この個別凹部８に対して半部を嵌め込んだ状態でその個別凹部８の内部において連結ボルト９により連結ブロック７に連結する樹脂製の嵌込連結具１０を設け、これら個別凹部８と嵌込連結具１０と端末接続具としての連結ボルト９とで枠体１の立方体形状における８つの各頂点部の連結手段６を構成してある。
【００３５】
また、連結ブロック７における個別凹部８は、連結対象の枠体１どうしをそれらの連結面が近接対向する隣接配置状態にしたときに連結ブロック７の個別凹部８どうしが結合して両枠体１にわたる一連の連結用凹部１１を形成する構造にしてある。
【００３６】
即ち、一方の枠体１の連結ブロック７における個別凹部８に嵌込連結具１０の半部を嵌め込み、かつ、他方の枠体１の連結ブロック７における個別凹部８に嵌込連結具１０の残りの半部を嵌め込む形態で、それら個別凹部８どうしの結合により形成された連結用凹部１１に嵌込連結具１０を嵌め込むことにより、その嵌込連結具１０を両枠体１の連結ブロック７どうしにわたらせ、この状態で嵌込連結具１０を連結用凹部１１における各個別凹部８の内部で各枠体１の連結ブロック７に対し連結ボルト９により連結することにより、枠体１どうしを相互に連結固定する。
【００３７】
個別凹部８及び嵌込連結具１０は、枠体１の立方体形状における８つの頂点部について全て共通のものにしてあり、したがって、嵌込連結具９は、枠体１の立方体形状における８つの頂点部のいずれの頂点部において形成される連結用凹部１１での枠体１どうしの連結にも使用することができる。
【００３８】
個別凹部８は、枠体１の立方体形状において１つの頂点を共有する３辺の各々に対して直交する姿勢にした同一形状の３つの側面８ａ（換言すれば、１つの連結ブロック７に対して連結する３本の主フレーム４の各々に対して直交する姿勢にした同一形状の３つ側面８ａ）と、枠体１の立方体形状における中心と頂点とを結ぶ対角線に対して直交する姿勢にした１つの正三角形状の底面８ｂとで形成し、その底面８ｂの中央部に嵌込連結具１０に対する連結ボルト９をねじ込むボルト孔８ｃを形成してある。
【００３９】
これに対し、嵌込連結具１０は、連結用凹部１１に嵌め込んだ状態において、その連結用凹部１１を形成する２つの個別凹部８夫々の３側面８ａと底面８ｂとの各々に対して隙間なく接する２つの長板部１０ａと２つの短板部１０ｂと２つの角板部１０ｃとを備える舟形立体構造にしてあり、これら２つの角板部１０ｃ夫々の中央部、即ち、連結用凹部１１を形成する２つの個別凹部８夫々の底面８ｂにおけるボルト孔８ｃに対して合致する位置に連結ボルト９用のボルト挿通孔１０ｄ形成してある。
【００４０】
つまり、連結ブロック７における個別凹部８及び嵌込連結具１０を上記の如き構造にすることで、枠体１の立方体形状における８つの各頂点部に配置する連結ブロック７の各々について、各連結ブロック７を配置した頂点部を共有頂点部とする立方体形状における３面のうちのいずれの１面を連結面として同構造の枠体１を隣接配置した場合にも、それら枠体１どうしの連結固定に連結手段６としての個別凹部８及び嵌込連結具１０を兼用して使用できるようにしてあり、これにより、例えば前述の図８に示す使用例において、図５示すように４つの枠体１が接する表側と裏側の接合部ａ，ｂのうち表側の接合部ａでは、嵌込連結具１０を横向き姿勢で連結用凹部１１に嵌め込んで左右の枠体１どうしを連結するのに対し、裏側の接合部ｂでは嵌込連結１０を縦姿勢で連結用凹部１１に嵌め込んで上下の枠体１どうしを連結するようにしている。
【００４１】
また、個別凹部８及び嵌込連結具１０を上記の如き構造にすることで、個別凹部８どうしの結合により形成される連結用凹部１１に対する嵌込連結具１０の嵌め込みに伴い、個別凹部８の側面８ａとそれに対向する嵌込連結具１０における長板部１０ａの表面との摺接により、連結対象の枠体１どうしが適正な隣接配置状態（即ち、連結用凹部１１を形成する２つの個別凹部８の夫々について、個別凹部８の底面８ｂにおけるボルト孔８ｃと嵌込連結具１０の角板部１０ｃにおけるボルト挿通孔１０ｄとが合致する隣接配置状態）に自ずと位置決めされるようにしてある。
【００４２】
そしてまた、嵌込連結具１０を連結用凹部１１に嵌め込む構造にするともに、連結用凹部１１の内部において嵌込連結具１０を連結ボルト９により連結ブロック７に連結する構造とすることで、嵌込連結具１０や端末連結具としての連結ボルト９が連結用凹部１１から外部に突出した状態にならないようにし、さらには、連結ボルト９をねじ込むボルト孔８ｃを形成する個別凹部８の底面８ｂを枠体１の立方体形状における中心と頂点とを結ぶ対角線に対して直交する姿勢の面にすることで、連結ボルト９のねじ込み操作もスペース的に余裕のある状態で容易に行えるようにしてある。
【００４３】
なお、舟形立体構造とした嵌込連結具１０には、２つの長板部１０ａの中央箇所どうしにわたるリブ部１０ｅを形成してあり、このリブ部１０ｅにより嵌込連結具１０を補強するとともに、このリブ部１０ｅを掴むことで嵌込連結具１０による枠体１どうしの連結操作も一層容易に行えるようにしてある。
【００４４】
また、連結ブロック７の外面部（即ち、連結した枠体１の連結ブロック７どうしが当接する面部）には、防振パッド１２を付設してあり、この防振パッド１２により枠体１間にわたる機器振動の伝播を防止するとともに、連結操作時における枠体１どうしの滑りを防止する。
【００４５】
〔別実施形態〕
次に本発明の別実施形態を列記する。
【００４６】
上述の実施形態において枠体１は、立方体形状（正六面体形状）のフレーム構造を有するものにしたが、本発明の実施において枠体１は、その他の正多面体形状（正四面体形状、正八面体形状、正十二面体形状、正二十面体形状など）のフレーム構造を有するものにしてもよい。
【００４７】
また、枠体１の正多面体形状における一部の面部や各面部における一部分に種々の形状の壁部を設けるようにしてよい。
【００４８】
枠体１は、その正多面体形状における全ての面の各々を連結対象の枠体１に対する連結面として選択し得る構造に限らず、その正多面体形状における３面以上の面の各々を連結対象の枠体１に対する連結面として選択し得る構造であればよい。
【００４９】
枠体１どうしをそれらの正多面体形状における各１面どうしが連結面として近接対向する隣接配置で相互に連結固定する連結する連結手段６は、上述の実施形態で示した個別凹部８と嵌込連結具１０と連結ボルト９とからなるものに限らず、種々の連結方式の各種構造のものを採用することができる。
【００５０】
枠体１の内部に取り付ける機器２は、扇風機２Ａあるいは投光機２Ｂに限られるものではなく、スピーカや装飾照明器あるいはエアコン室内機など、どのような機器であってもよい。
【００５１】
また、枠体１の正多面体形状における内部に機器２を取り付ける機器取付部３は、昇降構造や横スライド構造あるいは旋回構造などの採用により、取り付け機器２の位置調整や向き調整が可能なものにしてもよい。
【産業上の利用可能性】
【００５２】
本発明による機器設置枠は各種分野において種々の機器の設置に利用することができる。
【符号の説明】
【００５３】
１                  枠体
２                  機器
３                  機器取付部
６                  連結手段
８                  個別凹部
１０                嵌込連結具
１１                連結用凹部